(57)【要約】【課題】  踵部から着地する場合が多い、とくに初級および中級レベルの選手やその日のコンディションの悪い上級レベルの選手の場合に、踵部から前足部側への体重移動をスムーズに行えるようにする。【解決手段】  ソール面１ａに複数のスタッド１０を有する硬質樹脂製のソールプレート１において、踏付部位Ｅの接地時に接地面ＳとラストＬの底面ＬB との間を充足する補強部２を踏付部位Ｅに設ける。中足部位Ｍの後方において下方に屈曲しつつ下方への段差Δを介して中足部位Ｍに接続された踵部位Ｈを設ける。補強部２と踵部位Ｈの間において実質的に前後方向に配設され、踵部位Ｈと中足部位Ｍとの間の段差Δを充足しつつ、補強部２の下面２ａと踵部位Ｈの下面ＨB とを滑らかに連結するリブ３，４を設ける。さらに、リブ３，４にそれぞれ切込み３ｃ，４ｃを形成する。【選択図】  図３
2005102788.tif 000002
【特許請求の範囲】
【請求項１】
スポーツシューズのソール構造において、
シューズの全長にわたって延設されるとともに、ソール面（１ａ）に複数のスタッド（１０）が設けられる硬質樹脂製のソールプレート（１）を備え、
ソールプレート（１）が、着用者の足の前足部、踏付部、土踏まず部および踵部にそれぞれ対応する前足部位（Ｆ）、踏付部位（Ｅ）、中足部位（Ｍ）および踵部位（Ｈ）を有しており、
踏付部位（Ｅ）が、踏付部位（Ｅ）の前側領域の接地時の接地面（Ｓ）とラスト（Ｌ）の底面（ＬB ）との間を充足する補強部（２）を有し、
踵部位（Ｈ）が、中足部位（Ｍ）の後方において下方に屈曲しつつ下方への段差（Δ）を介して中足部位（Ｍ）に接続されており、
補強部（２）と踵部位（Ｈ）の間において実質的に前後方向に配設されるとともに、踵部位（Ｈ）と中足部位（Ｍ）との間の段差（Δ）を充足しつつ、補強部（２）の下面（２ａ）と踵部位（Ｈ）の下面（ＨB ）とを連結するリブ状部材が設けられている、
ことを特徴とするスポーツシューズのソール構造。
【請求項２】
請求項１において、
補強部（２）が、ハニカム構造、格子状リブ構造または複数の突起を有している、
ことを特徴とするスポーツシューズのソール構造。
【請求項３】
請求項１において、
リブ状部材が、補強部（２）および踵部位（Ｈ）間を連結しつつ実質的に前後方向に直線状に延びる凸条のリブ（３，４）である、
ことを特徴とするスポーツシューズのソール構造。
【請求項４】
請求項３において、
リブ（３，４）が、補強部（２）の後方において実質的に幅方向に延びかつソールプレート（１）のソール面（１ａ）まで上下方向に切り込まれた切込み（３ｃ，４ｃ）を有している、
ことを特徴とするスポーツシューズのソール構造。
【請求項５】
請求項４において、
切込み（３ｃ，４ｃ）によりソールプレート（１）の上方への屈曲が許容されるとともに、ソールプレート（１）の下方への屈曲の際には、切込み（３ｃ，４ｃ）を挟んで各リブ（３，４）の前後方向の各端面同士が干渉することにより、ソールプレート（１）の下方への屈曲が規制されるようになっている、
ことを特徴とするスポーツシューズのソール構造。
【請求項６】
請求項１において、
リブ状部材が、補強部（２）および踵部位（Ｈ）間において略直線状に配設された複数の突起から構成されており、各突起の下面が補強部（２）の下面（２ａ）と踵部位（Ｈ）の下面（ＨB ）とを滑らかに連結している、
ことを特徴とするスポーツシューズのソール構造。
【請求項７】
請求項１において、
踵部位（Ｈ）の上面には、踵部位（Ｈ）の段差（Δ）を埋める軟質弾性部材製のミッドソール（５）が設けられている、
ことを特徴とするスポーツシューズのソール構造。
【発明の詳細な説明】
【技術分野】
【０００１】
本発明は、スポーツシューズのソール構造の改良に関する。
【背景技術】
【０００２】
一般に、スポーツシューズは、陸上競技の他、野球やサッカーなどで用いられている。ところで、陸上競技において、とくに１００ｍ走や走り幅跳びの助走のような短距離走を含む競技種目の場合には、瞬発的なスピードが要求される。このため、とくに上級レベルの選手においては、疾走中に踵を接地することなく、主に前足部のみで接地する走法がとられている。
【０００３】
そこで、このような上級レベルの選手のために、特許第２８７１５３７号公報に示すような、足の踵部の下降を抑制するためのソール構造が本件出願人により提案されている。このソール構造は、ソール踏付部接地時の接地面に沿うソール面を有する補強部と、ソール土踏まず領域に配設されたリブ部材とを有している。この場合には、これら補強部およびリブ部材により、着地時に踵部の下降が抑制されるようになっている。
【０００４】
しかしながら、このようなソール構造は、主に前足部のみで接地することが可能な上級レベルの選手を対象としており、このような上級レベルの選手にとっては非常に効果的なものである。
【０００５】
ところが、たとえ上級レベルの選手であっても、疲労時やその日のコンディションなどによって、常に前足部のみで接地できるとは限らず、踵部や中足部で接地する場合もある。また、初級および中級レベルの選手については、疾走中に踵部や中足部から接地する場合が多く、このような場合、前記従来のソール構造では、足の踵部から前足部側に体重が移動していく際に、補強部が設けられたソール踏付部とソール踵部との段差が大きく（上記公報中の図３参照）、このため、補強部およびリブ部材が体重移動の際のストップ壁となって、着地時および体重移動時にブレーキがかかり、その結果、足の踵部や中足部から前足部にスムーズに体重移動を行えない場合が生じる。
【特許文献１】特許第２８７１５３７号公報
【発明の開示】
【発明が解決しようとする課題】
【０００６】
本発明が解決しようとする課題は、中足部や踵部から着地する場合が多い、とくに初級および中級レベルの選手やその日のコンディションが悪い上級者の場合に、踵部や中足部から前足部側への体重移動をスムーズに行えるようにする点にある。
【課題を解決するための手段】
【０００７】
本発明は、ソールプレートにおいて、踏付部位接地時の接地面とラスト底面との間を充足する補強部を踏付部位に設け、中足部位の後方において下方に屈曲しつつ下方への段差を介して中足部位に接続された踵部位を設けるとともに、補強部および踵部位間において実質的に前後方向に配設され、踵部位の段差を充足するリブ状部材を設けたことを最も主要な特徴とする。
【０００８】
請求項１の発明に係るスポーツシューズのソール構造は、シューズの全長にわたって延設されかつ底面に複数のスタッドが設けられる硬質樹脂製のソールプレートを備えている。ソールプレートは、着用者の足の前足部、踏付部、土踏まず部および踵部にそれぞれ対応する前足部位、踏付部位、中足部位および踵部位を有しており、踏付部位は、踏付部位接地時の接地面とラスト底面との間を充足する補強部を有している。踵部位は、中足部位の後方において下方に屈曲しつつ下方への段差を介して中足部位に接続されている。補強部と踵部位との間には、実質的に前後方向に配設されるとともに、踵部位と中足部位との間の段差を充足しつつ、補強部の下面と踵部位の下面とを連結するリブ状部材が設けられている。
【０００９】
請求項１の発明によれば、ソールプレートの踵部位が下方への段差を介して中足部位に接続されることにより踵部位が下方に突出するとともに、前後方向のリブ状部材が踏付部位接地時の接地面に沿うように補強部と踵部位との間に設けられている。このため、走行時において、ソールプレートの前足部位のみで接地せずに踵部位から中足部にかけての領域で接地しようとした場合でも、踵部位またはリブ状部材で接地できるようになる。これにより、ソールプレートの踵部位から前足部位にかけての広範囲での接地（いわゆるフラット接地）が可能になるとともに、足の踵部（または中足部）から前足部への体重移動がスムーズに行えるようになる。その結果、踵部から着地する場合が多い、とくに初級および中級レベルの選手やその日のコンディションが悪い上級者がより速く走ることができるようになる。
【００１０】
これに対して、特許第２８７１５３７号公報記載の発明では、踵部の下方への落ち込みを抑制する目的でリブが設けられており、このリブは積極的に接地させることを意図したものではない。このため、リブは、踏付部の限られた領域にしか配置されておらず、踵部までは延設されていない。
【００１１】
請求項２の発明では、補強部が、ハニカム構造、格子状リブ構造または複数の突起を有している。これにより、軽量化を図りつつ、補強部の曲げ剛性を向上できる。
【００１２】
請求項３の発明で、リブ状部材が、補強部および踵部位間を連結しつつ実質的に前後方向に直線状に延びる凸条のリブから構成されている。このリブは、好ましくは、内甲側および外甲側において足のアーチに沿って配設された２本のリブから構成される。
【００１３】
請求項４の発明では、凸条のリブが、補強部の後方において実質的に幅方向に延びかつソールプレートのソール面まで切り込まれた切込みを有している。これにより、凸条リブにおいて、切込み形成個所における屈曲性が向上する。また、この場合には、切込みを複数個所に形成することにより、ソールプレートの屈曲性を一層向上できる。
【００１４】
請求項５の発明では、切込みによりソールプレートの上方への屈曲が許容されるとともに、ソールプレートの下方への屈曲の際には、切込みを挟んで各リブの前後方向の各端面同士が干渉することにより、ソールプレートの下方への屈曲が規制されるようになっている。
【００１５】
この場合には、前足部側への体重移動の際にソールプレートの屈曲性が向上しているので、よりスムーズな体重移動が可能になるとともに、ソールプレートの下方への屈曲の規制により、リブによるシャンク効果を維持できる。
【００１６】
リブ状部材は、請求項６の発明のように、補強部および踵部位間において略直線状に配設された複数の突起から構成するようにしてもよい。この場合には、隣り合う各突起間の隙間が、請求項４の発明における切込みに相当している。
【００１７】
請求項７の発明では、踵部位の段差を埋める軟質弾性部材製のミッドソールが踵部位の上面に設けられている。
【発明の効果】
【００１８】
本発明に係るスポーツシューズのソール構造によれば、踵部から着地する場合が多い、とくに初級および中級レベルの選手やその日のコンディションが悪い上級レベルの選手の場合に、走行などの運動中に踵部から前足部側への体重移動をスムーズに行えるようになるという利点がある。
【発明を実施するための最良の形態】
【００１９】
スポーツシューズにおいて、走行などの運動中に踵部側から前足部側への体重移動をスムーズに行わせるための構造を簡単な構造で実現した。
【００２０】
図１ないし図３は本発明の一実施例によるスポーツシューズのソール構造を説明するための図であって、図１はソール構造を構成するソールプレートの正面図、図２はその外甲側の側面図、図３は図１のIII-III 線断面図であってスポーツシューズのラストとともに示す図、図４ないし図６はソールプレートの補強部の具体的構造を示す図である。
【００２１】
図１に示すように、このソールプレート１は、シューズの全長にわたって延びており、着用者の足の前足部、踏付部、土踏まず部および踵部にそれぞれ対応する前足部位Ｆ、踏付部位Ｅ、中足部位Ｍおよび踵部位Ｈを有している。ソールプレート１は、たとえばポリウレタンやポリアミドエラストマーなどの比較的硬質の合成樹脂から構成されている。ソールプレート１の前足部位Ｆおよび踏付部位Ｅには、複数のクリーツ（スタッド）１０が固定されている。各クリーツ１０は、補強用の隆起部１１の中央に植設されている。なお、各クリーツ１０は、ソールプレート１に対して、ねじ止めなどにより着脱自在に取り付けるようにしてもよい。
【００２２】
ソールプレート１の踏付部位Ｅには、厚肉の補強部２が設けられている（図２参照）。補強部２は、図３に示すように、踏付部位Ｅの接地時に接地面ＳとラストＬの底面ＬB との間を充足するように、ソールプレート１のソール面１ａから下方に突出して形成されている。言い換えれば、補強部２の主に前側部分は、踏付部位Ｅの接地時の接地面Ｓに沿うように形成されている。補強部２は、接地面Ｓ側に形成されたプレート状部２０と、その上方に形成された格子状リブ構造部２１とから構成されている。
【００２３】
格子状リブ構造部２１は、図４に示すように、プレート状部２０の上面において複数のリブ２１ａを格子状に配設することにより構成されている。なお、格子状リブ構造部２１のかわりに、図５に示すように、六角形状のリブを組み合わせてなるハニカム構造２２を用いてもよい。あるいは、図６に示すように、複数の突起（たとえば円筒状突起）２３ａを配置してなる突起構造部２３を設けるようにしてもよい。このような構造を補強部２に設けることで、軽量化を図りつつ、補強部２の下方への落ち込みを防止できるようになる。
【００２４】
ソールプレート１の踵部位Ｈは、図３に示すように、中足部位Ｍの後方において、下方（つまり接地面側に向かって）に屈曲しつつ下方への段差Δを介して中足部位Ｍに接続されている。段差Δは、踵部側からの体重移動の観点からは大きい方が好ましいが、あまり大きすぎると、接地時に引っ掛かりやすくなり、また重量が増加する。そこで、段差Δの値としては、１ｍｍ（好ましくは３ｍｍ）以上２０ｍｍ以下に設定されている。本実施例では、段差Δは約５．５ｍｍに設定されている。
【００２５】
踵部位Ｈの上面つまり着用者の足の足裏当接面側の面には、踵部位Ｈの段差Δを埋める軟質弾性部材製のミッドソール５が装着されている。ミッドソール５を構成する材料としては、たとえばエチレン−酢酸ビニル共重合体（ＥＶＡ）などの熱可塑性合成樹脂の発泡体やポリウレタン（ＰＵ）などの熱硬化性合成樹脂の発泡体が用いられる。なお、ソールプレート１の踏付部位Ｅに形成された凹部にも同様のミッドソール６が装着されている。
【００２６】
補強部２と踵部位Ｈとの間には、図１に示すように、実質的に前後方向に略直線状に延びる凸条のリブ３，４が配設されている。各リブ３，４は、ソールプレート１のそれぞれ内甲側および外甲側に配設されており、いずれも補強部２および踵部位Ｈを連結している。各リブ３，４の下面３ａ，４ａは、図２および図３に示すように、中足部位Ｍと踵部位Ｈとの間の段差Δを充足しつつ、補強部２の下面２ａと踵部位Ｈの下面ＨB とを円弧状に滑らかに連結している。なお、補強部２の下面２ａと各リブ３，４の下面３ａ，４ａとの間に０．５〜２ｍｍ程度の段差があっても実用上問題はなく、本願の請求項１に係る発明はこのような場合を含んでいる。
【００２７】
各リブ３，４には、スリット状の切込み３ｃ，４ｃがそれぞれ形成されている。切込み３ｃ，４ｃは、図１に示すように、補強部２の後方において実質的に幅方向に延びている。また、切込み３ｃ，４ｃは、図２に示すように、ソールプレート１のソール面１ａまで上方に切り込まれている。切込み３ｃ，４ｃは、ソールプレート１の上方への屈曲（つまり着用者の足裏側に向かっての屈曲）を容易にする一方、ソールプレート１の下方への屈曲の際には、切込み３ｃ，４ｃを挟んで各リブ３，４の前後方向の各端面同士が干渉し合うことによりソールプレート１の下方への屈曲を規制するように設けられており、各切込み３ｃ，４ｃの前後方向の隙間は、たとえば１〜２ｍｍ程度に設定されている。なお、切込み３ｃ，４ｃを各リブ３，４の複数個所に形成することによってソールプレート１の上方への屈曲性をさらに向上できる。
【００２８】
ソールプレート１の中足部位Ｍの両側縁部には、図２に示すように、実質的に上方に張り出す巻上げ部１２が形成されている。この巻上げ部１２は、図示しない甲被部にソールプレート１を接着するためのものである。また、巻上げ部１２により、着用者の足に対するフィッティング性を向上でき、中足部位Ｍのシャンク効果を向上できる。
【００２９】
この場合には、上述のように、ソールプレート１の踵部位Ｈが下方への段差Δを介して中足部位Ｍに連結されるとともに、踏付部位Ｅ接地時の接地面Ｓに沿うように、補強部２と踵部位Ｈとの間に前後方向のリブ３，４が設けられている。このため、走行等の運動時において、ソールプレート１の前足部位Ｆのみで接地せずに中足部Ｍから踵部位Ｈにかけての領域で接地しようとした場合でも、各リブ３，４で接地できるようになる。
【００３０】
これにより、ソールプレート１の踵部位Ｈから前足部位Ｆにかけての広範囲での接地（いわゆるフラット接地）が可能になるとともに、足の踵部（または中足部）から前足部への体重移動がスムーズに行えるようになる。その結果、踵部から着地する場合が多い、とくに初級および中級レベルの選手やその日のコンディションが悪い上級レベルの選手がより速く走ることができるようになる。
【００３１】
しかも、この場合には、前足部側への体重移動の際には、リブ３，４に形成した各切込み３ｃ，４ｃによりソールプレート１の屈曲性が向上しているので、よりスムーズな体重移動が可能になる。また、その一方、切込み３ｃ，４ｃを介して各リブ３，４の前後方向端面同士が干渉することによる下方への屈曲規制により、リブ３，４によるシャンク効果を維持できる。
【００３２】
なお、前記実施例では、前後方向に延びる凸条のリブ３，４を設けた例を示したが、本発明の適用はこれに限定されない。たとえば戴頭円錐状または円柱状の複数の突起を前後方向に略直線状に並設することにより、リブ状部材を構成するようにしてもよい。この場合、各突起の下面が補強部２の下面２ａと踵部位Ｈの下面ＨB と滑らかに連結しているのが好ましい。
【図面の簡単な説明】
【００３３】
【図１】本発明の一実施例によるスポーツシューズのソール構造を構成するソールプレートの正面図である。
【図２】図１のソールプレートの外甲側の側面図である。
【図３】図１のIII-III 線断面図であって、スポーツシューズのラストとともに示す図である。
【図４】ソールプレートの補強部を構成する格子状構造部の正面図（一部断面図含む）である。
【図５】ソールプレートの補強部を構成するハニカム構造の正面図（一部断面図含む）である。
【図６】ソールプレートの補強部を構成する突起構造部の正面図（一部断面図含む）である。
【符号の説明】
【００３４】
１：  ソールプレート
１ａ：  ソール面
２：  補強部
２ａ：  下面
２１：  格子状リブ構造部
２２：  ハニカム構造
２３：  突起構造部
３：  リブ
３ｃ：  切込み
４：  リブ
４ｃ：  切込み
Ｆ：  前足部位
Ｅ：  踏付部位
Ｍ：  中足部位
Ｈ：  踵部位
Δ：  段差
Ｓ：  接地面
Ｌ：  ラスト
ＬB ：  底面
【図１】
2005102788.tif 000003
【図２】
2005102788.tif 000004
【図３】
2005102788.tif 000005
【図４】
2005102788.tif 000006
【図５】
2005102788.tif 000007
【図６】
2005102788.tif 000008